(57)【要約】【課題】放熱特性を向上させ、回路部品が経年劣化により発火しても、周辺に延焼する虞のないＡＣアダプターを提供する。【解決手段】ＡＣアダプターの筐体１は、例えば０．３ｍｍの鉄板により構成され、内部に交流電源の電圧を降圧するトランス、その電圧を整流する整流回路、整流回路の出力をさらに平滑する平滑回路などの回路部品が実装されたプリント基板２が設けられている。また、ＡＣアダプターの筐体１の内側面には、各回路部品との絶縁のために絶縁処理が施されている。【選択図】図１
2010273434.tif 000002
【特許請求の範囲】
【請求項１】
交流電源の電圧を所定の直流電圧に変換するための各種の回路部品が実装されたプリント基板と、
前記プリント基板が収容された筐体とを備え、
前記筐体を金属で構成したことを特徴とするＡＣアダプター。
【請求項２】
前記筐体は、プラスチック製の内筐体と、前記内筐体の周囲を覆う金属製の外筐体とで構成されていることを特徴とする請求項１記載のＡＣアダプター。
【請求項３】
前記内筐体と前記外筐体との間に熱伝導性の接着剤が塗布されていることを特徴とする請求項２記載のＡＣアダプター。
【請求項４】
前記内筐体と前記外筐体との間に弾性部材が設けられ、この弾性部材によって前記内筐体と前記外筐体の一面が密着していることを特徴とする請求項２記載のＡＣアダプター。
【請求項５】
前記外筐体に１ｍｍ以下のスリットあるいは直径３ｍｍ以下の穴が複数設けられていることを特徴とする請求項２乃至４の何れかに記載のＡＣアダプター。
【請求項６】
前記外筐体はアルミニウム製の板金で構成されていることを特徴とする請求項２乃至５の何れかに記載のＡＣアダプター。
【発明の詳細な説明】
【技術分野】
【０００１】
本発明は、交流電源の電圧を所定の直流電圧に変換して負荷側に出力するＡＣアダプターに関するものである。
【背景技術】
【０００２】
従来のＡＣアダプターには、パーソナルコンピュータなどの負荷が稼動状態である場合、トランスの一次側に挿入されたリレー接点がオンしてＡＣ電源が通電状態となり、前述の負荷が非稼動状態である場合は、リレー接点がオフしてＡＣ電源との接続を遮断するものがある（例えば、特許文献１参照）。
【先行技術文献】
【特許文献】
【０００３】
【特許文献１】特開２００６−２３８６７６号公報（第４頁、図１，２）
【発明の概要】
【発明が解決しようとする課題】
【０００４】
ところで、ＡＣアダプターは、一般的にプラスチックで構成されているため、内部の回路部品から発生する熱に対する放熱特性が低下し、回路部品が経年劣化などにより発火した場合には燃焼し、周辺に可燃物が存在すると延焼する危険性があった。
本発明は、前記のような課題を解決するためになされたもので、放熱特性を向上させ、回路部品が経年劣化により発火しても、周辺に延焼する虞のないＡＣアダプターを提供することを目的とする。
【課題を解決するための手段】
【０００５】
本発明に係るＡＣアダプターは、交流電源の電圧を所定の直流電圧に変換するための各種の回路部品が実装されたプリント基板と、プリント基板が収容された筐体とを備え、筐体を金属で構成したものである。
【発明の効果】
【０００６】
本発明においては、ＡＣアダプターの筐体を金属で構成したので、放熱特性が向上し、経年劣化などによりプリント基板などから発火したとしても周辺への延焼を防止できる。
【図面の簡単な説明】
【０００７】
【図１】本発明の実施の形態１に係るＡＣアダプターの外観を示す斜視図である。
【図２】本発明の実施の形態２に係るＡＣアダプターの上面の一部を破砕して示す平面図である。
【図３】本発明の実施の形態３に係るＡＣアダプターの長手方向と直交する面を切断して示す断面図である。
【図４】本発明の実施の形態４に係るＡＣアダプターの長手方向と直交する面を切断して示す断面図である。
【図５】本発明の実施の形態４に係るＡＣアダプターの外観を示す斜視図である。
【図６】実施の形態４の他の形態に係るＡＣアダプターの外観を示す斜視図である。
【図７】実施の形態４の他の形態に係るＡＣアダプターの外観を示す斜視図である。
【発明を実施するための形態】
【０００８】
実施の形態１．
図１は本発明の実施の形態１に係るＡＣアダプターの外観を示す斜視図である。
図１において、ＡＣアダプターの筐体１は、例えば鉄板あるいは銅板の金属により構成されている。鉄板の場合は例えば板厚が０．３ｍｍ以上、銅板の場合は例えば０．４ｍｍ以上の板金が使用されている。筐体１の内部には、交流電源（ＡＣ）の電圧を降圧するトランス、その電圧を整流する整流回路、整流回路の出力をさらに平滑（ＤＣ）する平滑回路などの回路部品が実装されたプリント基板２が設けられている。筐体１の内側面には、各回路部品との絶縁のために絶縁処理が施されている。
【０００９】
筐体１の長手方向の一方の側面には、ＡＣ入力コード３がトランスの一次側に接続され、もう一方の側面には、ＤＣ出力コード４がプラグ５及びレセプタクル（図示せず）を介して平滑回路の出力側に接続されている。前述のレセプタクルは、ＡＣアダプターの筐体１に取り付けられ、プラグ５が着脱可能に接続されている。
【００１０】
以上のように、ＡＣアダプターの筐体１を鉄板あるいは銅板で構成したので、プリント基板２上の各回路部品から発生する熱を放熱し易くなり、回路部品が経年劣化により発火しても延焼を防止でき、安全性が向上する。
【００１１】
実施の形態２．
実施の形態２は、筐体１をプラスチック製の内筐体と内筐体の周囲を覆う金属製の外筐体とで構成したものである。
図２は本発明の実施の形態２に係るＡＣアダプターの上面の一部を破砕して示す平面図である。なお、図１で説明した実施の形態１と同様の部分には同じ符号を付している。
【００１２】
図２において、ＡＣアダプターの筐体１は、プラスチック製の内筐体１ａと、その内筐体１ａを覆うように各外面に接触して設けられたアルミニウム製の外筐体１ｂとで構成されている。内筐体１ａは、前述の如く外筐体１ｂによって覆われているため、内筐体１ａを構成するプラスチックの厚みが従来と比べ薄く形成されている。これは、プラスチックの強度がアルミニウム製の外筐体１ｂによって補強されているからである。
【００１３】
以上のように、ＡＣアダプターの筐体１を、プラスチック製の内筐体１ａと、その内筐体１ａを覆うように各外面に接触して設けられたアルミニウム製の外筐体１ｂとで構成したので、延焼防止に加え、放熱特性が向上し、軽量化を図ることができる。
【００１４】
実施の形態３．
実施の形態３は、ＡＣアダプターの筐体１を構成する内筐体１ａと外筐体１ｂとの間に熱伝導性の接着剤を塗布したものである。
図３は本発明の実施の形態３に係るＡＣアダプターの長手方向と直交する面を切断して示す断面図である。なお、図１で説明した実施の形態１と同様の部分には同じ符号を付している。
【００１５】
図３において、ＡＣアダプターの筐体１は、前述したように、プラスチック製の内筐体１ａと、その内筐体１ａの周囲を覆うアルミニウム製の外筐体１ｂとで構成されている。内筐体１ａと外筐体１ｂとの間のうち例えばプリント基板２近接の間には、難燃性で熱伝導性の優れた接着剤６が介在している。これは、内筐体１ａあるいは外筐体１ｂの何れかの面に塗布されたものである。その他の間は直接接触している。
【００１６】
このように、内筐体１ａと外筐体１ｂとの間のうちプリント基板２近接の間に難燃性で熱伝導性の優れた接着剤６が介在しているので、実施の形態２と比べ熱伝導性が向上し、そのため、ＡＣアダプターの筐体１内部の発熱を速やかに外筐体１ｂから放熱でき、回路部品の劣化を抑えることが可能になり、発火防止となる。
【００１７】
なお、実施の形態３では、内筐体１ａと外筐体１ｂとの間のうちプリント基板２近接の間に熱伝導性の接着剤６を塗布させたことを述べたが、これ以外の間にも熱伝導性の接着剤６を介在させるようにしても良い。
【００１８】
実施の形態４．
実施の形態４は、ＡＣアダプターの筐体１を構成する内筐体１ａと外筐体１ｂとの間に弾性部材を設けたものである。
図４は本発明の実施の形態４に係るＡＣアダプターの長手方向と直交する面を切断して示す断面図である。なお、図１で説明した実施の形態１と同様の部分には同じ符号を付している。
【００１９】
図４において、ＡＣアダプターの筐体１は、前述したように、プラスチック製の内筐体１ａと、その内筐体１ａの周囲を覆うアルミニウム製の外筐体１ｂとで構成されている。内筐体１ａと外筐体１ｂとの間のうち例えばプリント基板２上方の間には、弾性部材である例えば難燃性のゴム７が設けられている。このゴム７により、内筐体１ａがプリント基板２側に押しつけられ、外筐体１ｂの一面に密着した状態となっている。
【００２０】
このように、内筐体１ａと外筐体１ｂとの間のうちプリント基板２上方の間にゴム７を設けて、内筐体１ａをプリント基板２側に押しつけて外筐体１ｂの一面に密着させるようにしたので、実施の形態２と比べ熱伝導性が向上し、そのため、ＡＣアダプターの筐体１内部の発熱を速やかに外筐体１ｂから放熱でき、回路部品の劣化を抑えることが可能になり、発火防止となる。
【００２１】
なお、実施の形態４では、内筐体１ａと外筐体１ｂとの間のうちプリント基板２上方の間にゴム７を設けたことを述べたが、これに代えて板ばねを設けて、内筐体１ａをプリント基板２側に押しつけるようにしても良い。
【００２２】
実施の形態５．
実施の形態５は、ＡＣアダプターの筐体１を構成する内筐体１ａと外筐体１ｂのうち外筐体１ｂに複数のスリットを設けたものである。
図５は本発明の実施の形態４に係るＡＣアダプターの外観を示す斜視図である。なお、図１で説明した実施の形態１と同様の部分には同じ符号を付している。
【００２３】
図５において、ＡＣアダプターの筐体１は、実施の形態２と同様に、プラスチック製の内筐体１ａと、その内筐体１ａの周囲を覆うアルミニウム製の外筐体１ｂとで構成されている。ＡＣアダプターの筐体１のうち外筐体１ｂの例えば両側面には、長手方向に配列された複数のスリット８が設けられている。各スリット８は、例えば内部に炎が発生しても外部へ通さない１ｍｍ以下となっている。
【００２４】
以上のように、ＡＣアダプターの筐体１を、プラスチック製の内筐体１ａと、その内筐体１ａを覆うように各外面に接触して設けられたアルミニウム製の外筐体１ｂとで構成し、さらに外筐体１ｂの両側面に複数のスリット８を設けたので、延焼防止に加え、放熱特性が向上し、軽量化を図ることができる。
【００２５】
なお、実施の形態５では、外筐体１ｂの両側面に複数のスリット８を設けたことを述べたが、これに代えて、例えば図６に示すように、外筐体１ｂの各面の四隅にそれぞれ複数のスリット８を設けても良い。また、例えば図７に示すように、外筐体１ｂの上面に長手方向に配列された複数のスリット８を設けても良い。
【００２６】
また、複数のスリット８に代えて、直径３ｍｍ以下の穴を、外筐体１ｂの両側面、外筐体１ｂの各面の四隅、あるいは外筐体１ｂの上面に設けても良い。穴の寸法は、前述したように内部に炎が発生しても外部へ通さない大きさである。
【符号の説明】
【００２７】
１  ＡＣアダプターの筐体、１ａ  内筐体、１ｂ  外筐体、２  プリント基板、３  ＡＣ入力コード、４  ＤＣ出力コード、５  プラグ、６  熱伝導性の接着剤、７  ゴム、
８  スリット。
【図１】
2010273434.tif 000003
【図２】
2010273434.tif 000004
【図３】
2010273434.tif 000005
【図４】
2010273434.tif 000006
【図５】
2010273434.tif 000007
【図６】
2010273434.tif 000008
【図７】
2010273434.tif 000009